(57)【要約】【課題】バリアフリー引違い障子の下枠凹部を障子を取り外さずに容易に掃除でき、子供のいたずらや防止のみならず、防犯性に優れた下枠構造の提供を目的とする。【解決手段】下枠を下枠ベース部材と目板材で構成し、下枠の上面をフラットに形成するとともに下枠ベース部材とでスライド溝を形成する目板材を左側の目板材第１部材と右側の目板材第２部材の少なくとも２つ以上に分割し、内・外障子を右側に寄せて障子を取り外すことなく、室内側・室外側目板材第１部材を脱着可能に装着し、内・外障子を左側に寄せて取り外すことなく、室内側・室外側目板材第２部材を脱着可能に装着し、目板材に指先はかからないが細い棒状片は挿し込むことができる目板材取り外し用穴を設けた。  また、目板材にヒレ部を設けて、障子を全開しないと外せないようにした。【選択図】  図４
2005048558.tif 000002
【特許請求の範囲】
【請求項１】
上下枠及び左右の縦枠にて構成され、下枠上面を略フラット面に形成した枠内をスライド開閉する引違い障子の下框から、垂下片を垂下し、垂下片をガイドするスライド溝を下枠に設け、かつスライド溝側壁と垂下片との間に横タイト材を介在させた屋外開口部サッシ構造において、下枠を下枠ベース部材と目板材で構成し、下枠の上面をフラットに形成するとともに下枠ベース部材とでスライド溝を形成する目板材を左側の目板材第１部材と右側の目板材第２部材の少なくとも２つ以上に分割し、内・外障子を右側に寄せて障子を取り外すことなく、室内側・室外側目板材第１部材を脱着可能に装着し、内・外障子を左側に寄せて取り外すことなく、室内側・室外側目板材第２部材を脱着可能に装着し、目板材の縦枠側に目板材を縦枠側から長手方向に押圧するバネ部材を有する端末部材を取り付けるとともに、この目板材に指先はかからないが細い棒状片は挿し込むことができる目板材取り外し用穴を設けたことを特徴とする屋外用下枠フラットサッシの下枠構造。
【請求項２】
上下枠及び左右の縦枠にて構成され、下枠上面を略フラット面に形成した枠内をスライド開閉する引違い障子の下框から、垂下片を垂下し、垂下片をガイドするスライド溝を下枠に設け、かつスライド溝側壁と垂下片との間に横タイト材を介在させた屋外開口部サッシ構造において、下枠を下枠ベース部材と目板材で構成し、下枠の上面をフラットに形成するとともに下枠ベース部材とでスライド溝を形成する目板材を左側の目板材第１部材と右側の目板材第２部材の少なくとも２つ以上に分割し、内・外障子を右側に寄せて障子を取り外すことなく、室内側・室外側目板材第１部材を脱着可能に装着し、内・外障子を左側に寄せて取り外すことなく、室内側・室外側目板材第２部材を脱着可能に装着し、スライド溝の下に下枠凹部を設け、目板材側壁から障子下框垂下片の軌道下方に突出させたヒレ部を該目板材に設けたことを特徴とする屋外用下枠フラットサッシの下枠構造。
【請求項３】
前記ヒレ部を障子下框垂下片の軌道の鉛直位置を越えて突出させたことを特徴とする請求項２記載の屋外用下枠フラットサッシの下枠構造。
【請求項４】
障子を全開放させて前記目板材を取り外す際に、ヒレ部が障子下框垂下片に干渉しない範囲にて障子召合位置側の当該ヒレ部に切り欠き部が設けられていることを特徴とする請求項２又は請求項３記載の屋外用下枠フラットサッシの下枠構造。
【請求項５】
障子を閉じた際に上部に障子が存在しない前記、室外側目板材第２部材と、下枠もしくは縦枠との間に係合部を設け、該室外側目板材第２部材を召合側に所定距離スライドさせないと係合部が解除出来ないことを特徴とする請求項３又は請求項４記載の屋外用下枠フラットサッシの下枠構造。
【請求項６】
障子が閉じた際に上部に障子が存在する室外側目板材第１部材と、下枠の間にこの目板材第１部材を上方には取り外すことができるが、障子召合位置方向にはスライド出来ない係合部を設けたことを特徴とする請求項３又は請求項４記載の屋外用下枠フラットサッシの下枠構造。
【請求項７】
前記室外側目板材第１部材と室外側目板材第２部材の間に目板材中央部材を固定状態あるいは目板材長手方向に若干の動き代を設けて取り付けたことを特徴とする請求項３記載の下枠フラットサッシの下枠構造。
【請求項８】
請求項２〜請求項７記載の発明のいずれかの構造を備えたことを特徴とする請求項１記載の下枠フラットサッシの下枠構造。
【発明の詳細な説明】
【技術分野】
【０００１】
本発明は建築物の屋外開口部に取り付けたサッシ枠内を障子がスライド開閉するサッシ構造に関し、特に、下枠上面が略フラット面に形成されたバリアフリーサッシにおける掃除が容易で防犯性に優れた下枠構造に関する。
【背景技術】
【０００２】
建築物の屋外開口部には一般に上下枠と左右の縦枠にて枠体を構成し、その内側を障子がスライド開閉するサッシ構造が設けられている。
この場合、サッシ下枠の上面をフラットに形成し、下枠にスライド溝を設け、内外障子から垂下させた垂下片をこの溝に嵌入したバリアフリータイプのサッシ構造の場合には、従来のレール式の下枠に比較するとゴミが入りにくいものの、長期限にわたって溝内に流入堆積したゴミを取り除く際に、下枠上面の一部を取り外して清掃する必要があった。
例えば特開２００２−２２７５３７号公報には、下枠上面に目板材を左右に分割して取り付け、障子を一方に寄せることで取り外すことができる技術が開示されている。
また、上面フラット部材（目板材）は左右に分割されているが、加工バラツキ等によりそれらの間に隙間が生じガタつく恐れがあり、目板材端部に設けたツマミ部材に弾性片を設け、弾性片が縦枠側を押圧することで、目板材が障子召合側へ押し付けられ、目板材間に隙間が発生するのを防止している。
しかしながら、このように目板材の脱着が簡単であることから子供が目板材をいたずらして外してしまい、ういた状態で障子を開閉すると、目板材や障子を破損してしまうことが危惧された。
即ち、目板材端部に設けたツマミ部材の弾性片により目板材が障子召合位置側へ押し付けられるが、ツマミ部材や指を入れる凹部が設けられていることから、目板材の取り外しが容易である反面、子供のいたずら防止としては不十分であった。
また、対策として目板材をネジ止めする構造とすると目板材の脱着を繰り返すことでネジ部が破損する恐れがあった。
【０００３】
特開２００２−２２７５３７号公報、図１（ハ）に示すようにのように障子が閉じた状態で上方に障子がない外障子用目板材第２部材２ａは、外部からの取り外しが可能で、盗難や紛失の心配があった。
この特開２００２−２２７５３号公報に係る発明は、主にマンション等のビル用サッシを対象にしていたが一般住宅用に展開すると、外から簡単に取り外すことが出来ることは防犯の観点からは好ましくない。
【０００４】
特開平１１−２８０３４３号公報には下枠の脱着自在のステップ材に設けた弾性を有する突起を、ガイド状の係合片間に嵌めて固定する技術が開示されている。
また、特開平１１−１３１９２９号公報にはアタッチメント（下枠の上面部材）端部にラッチを設け、下枠や縦枠に受け部を設けてアタッチメントを装着する技術が開示されている。
しかしながら、これらの技術においても扉やドアを外さずに容易に取り外しが出来るが故に、子供のいたずら防止という観点からは不十分であった。
また、特開２００１−２１４６６９号公報には傾斜カバー（下枠の上面部材）に穴を設け、傾斜カバーはその穴へドライバー等を挿し込んで持ち上げて取り外す構造が開示されている。
しかしながらこの技術は段差を有する浴室床面と、脱衣室床面のつまずき防止のために引戸の外側に設けた傾斜カバーの取付技術であり、下枠の上面をフラットに形成し、障子が開閉する下部の目板材の取付構造とは異なる。
いずれにしても、特許文献２〜４に開示された技術は浴室に関するものであり、高い水密性が要求される屋外用サッシとは下枠構造そのものが異なる。
【０００５】
【特許文献１】特開２００２−２２７５３７号公報
【特許文献２】特開平１１−２８０３４３号公報
【特許文献３】特開平１１−１３１９２９号公報
【特許文献４】特開２００１−２１４６６９号公報
【発明の開示】
【発明が解決しようとする課題】
【０００６】
本発明はサッシの下枠上面を略フラットに形成するとともに、外障子及び内障子の下框より垂下片を垂下させて、下枠上面に設けた細い条状のスライド溝に上記垂下片を嵌入させた建築物の屋外開口部に備えられた引違い障子の、下枠凹部に溜まったゴミ、埃、砂等を障子を取り外さずに容易に掃除ができ、子供のいたずら防止のみならず、防犯性に優れた下枠構造の提供を目的とする。
【課題を解決するための手段】
【０００７】
請求項１記載の発明の技術的要旨は、上下枠及び左右の縦枠にて構成され、下枠上面を略フラット面に形成した枠内をスライド開閉する引違い障子の下框から、垂下片を垂下し、垂下片をガイドするスライド溝を下枠に設け、かつスライド溝側壁と垂下片との間に横タイト材を介在させた屋外開口部サッシ構造において、下枠を下枠ベース部材と目板材で構成し、下枠の上面をフラットに形成するとともに下枠ベース部材とでスライド溝を形成する目板材を左側の目板材第１部材と右側の目板材第２部材の少なくとも２つ以上に分割し、内・外障子を右側に寄せて障子を取り外すことなく、室内側・室外側目板材第１部材を脱着可能に装着し、内・外障子を左側に寄せて取り外すことなく、室内側・室外側目板材第２部材を脱着可能に装着し、目板材の縦枠側に目板材を縦枠側から長手方向に押圧するバネ部材を有する端末部材を取り付けるとともに、この目板材に指先はかからないが細い棒状片は挿し込むことができる目板材取り外し用穴を設けた点である。
【０００８】
目板材の縦枠側にバネ性を有したバネ部材を取り付けることで、目板材を障子召合部方向に押圧した状態で下枠に装着出来ることにより、目板材の切断寸法バラツキをこのバネ部材で吸収し、ガタ防止が図られるとともに、目板材に指は入らないがドライバー等の棒状片は挿入可能な穴を設けたことにより、子供等のいたずらによる取り外しが防止出来る。
目板材をアルミ押出形材で形成し、端末部材を樹脂製にするとこの端末部材に射出成形時等に容易に取り外し穴を形成することができる。
【０００９】
請求項２記載の発明の技術的要旨は、上下枠及び左右の縦枠にて構成され、下枠上面を略フラット面に形成した枠内をスライド開閉する引違い障子の下框から、垂下片を垂下し、垂下片をガイドするスライド溝を下枠に設け、かつスライド溝側壁と垂下片との間に横タイト材を介在させた屋外開口部サッシ構造において、下枠を下枠ベース部材と目板材で構成し、下枠の上面をフラットに形成するとともに下枠ベース部材とでスライド溝を形成する目板材を左側の目板材第１部材と右側の目板材第２部材の少なくとも２つ以上に分割し、内・外障子を右側に寄せて障子を取り外すことなく、室内側・室外側目板材第１部材を脱着可能に装着し、内・外障子を左側に寄せて取り外すことなく、室内側・室外側目板材第２部材を脱着可能に装着し、スライド溝の下に下枠凹部を設け、目板材側壁から障子下框垂下片の軌道下方に突出させたヒレ部を該目板材に設けた点である。
【００１０】
スライド溝の側壁を形成している目板材側壁から、障子下框垂下片の軌道下方に突出させたヒレ部を設けたことにより、障子の開閉に障害が生じることなく下枠凹部（スライド溝の下に設けられた排水のためのふところ）が外部から見えなくなり、下枠のフラット感が向上する。
また、このスライド溝の下の下枠凹部は雨水等を一時的に貯留する機能も併せ持っているが、目板材側壁からヒレ部を突出させることで下枠凹部内に貯留されている雨水がしぶくことを防止出来る。
【００１１】
請求項３記載の発明の技術的要旨は、ヒレ部を障子下框垂下片の軌道の鉛直位置を越えて突出させることにより、目板材上方に障子が位置している場合には、垂下片とヒレ部が干渉することでこの目板材の取り外しを困難にした点である。
【００１２】
請求項４記載の発明の技術的要旨は、障子を全開放させて前記目板材を取り外す際に、ヒレ部が障子下框垂下片に干渉しない範囲にて障子召合位置側の当該ヒレ部に切り欠き部が設けられている点である。
【００１３】
障子は全開放時であっても例えば、クレセントを保護するため等の理由によりストッパに規制されて引きのこしが発生する場合が多い。
目板材を取り外す際にこの引きのこし部分の垂下片に干渉しないように、ヒレ部の障子召合位置付近を切り欠いたものである。
【００１４】
請求項５記載の発明の技術的要旨は、障子を閉じた際に上部に障子が存在しない前記、室外側目板材第２部材と、下枠もしくは縦枠との間に係合部を設け、該室外側目板材第２部材を召合側に所定距離スライドさせないと係合部が解除出来ない点である。
【００１５】
この下枠もしくは縦枠との間に係合部を設け、室外側目板材第２部材を召合側に所定距離スライドさせないと係合部が解除出来ないとは、例えば下枠との間に係合部を設ける場合は、室外側目板材第２部材に鉤状の係合部を設けて、下枠に設けた穴にその係合部を挿し込む構造とする。
すると、係合部の折れ曲がった端部の鉤部が、室外側目板材第２部材を下枠への取付状態からそのまま上方へ持ち上げると穴の縁に掛かるが、室外側目板材第２部材を召合側に所定距離スライドさせるとその鉤部が穴の縁から外れて係合が解除されるので室外側目板材第２部材を上方に取り外し可能となる。
【００１６】
また、縦枠との間に係合部を設ける場合には、例えば室外側目板材第２部材から縦枠側に突出した突出部を設け、縦枠に設けた穴に挿し込む構造とする。
これにより、室外側目板材第２部材を召合側に所定距離スライドさせないと、突出部は縦枠の穴から外れず、室外側目板材第２部材を取り外せない構造となる。
このように室外側目板材第２部材を召合側に所定距離スライドさせないと取り外せない構造とすることで室外側目板材第２部材の分割された相手側の目板材を先に取り外して、室外側目板材第２部材をスライドしない限り、この室外側目板材第２部材の取り外しを防止出来る構造となる。
【００１７】
請求項６記載の発明の技術的要旨は、障子が閉じた際に上部に障子が存在する室外側目板材第１部材と、下枠の間にこの目板材第１部材を上方には取り外すことができるが、障子召合位置方向にはスライド出来ない係合部を設けた点である。
【００１８】
この室外側目板材第１部材と下枠の間に、この目板材第１部材を上方には取り外すことができるが障子召合位置方向にはスライド出来ない係合部を設けるとは、例えば、目板材第１部材に突起を設け、下枠に穴を設けて、この突起と穴を嵌め合わせた状態となるようにこの目板材第１部材を下枠へ取り付ける構造である。
すると、室外側目板材第１部材を障子召合位置方向にスライドさせようとしても突起が穴に掛かる。これに対して目板材第１部材を上方に持ち上げる場合は、穴から突起が抜けてこの目板材第１部材を取り外すことができる。
障子を閉じた状態で室外側目板材第１部材上方に障子があり、この目板材第１部材の上方への取り外しが防止されている場合であっても、この目板材第１部材の分割された相手側の目板材が取り外されてしまうと、この目板材第１部材は障子召合位置方向の上方に障子がない位置までスライドさせられて、取り外される恐れがある。
そこで、このようにスライドを規制することで室外側目板材第１部材をスライドして取り外すことを防止できる。
【００１９】
請求項７記載の発明の技術的要旨は、前記室外側目板材第１部材と室外側目板材第２部材の間に目板材中央部材を固定状態あるいは目板材長手方向に若干の動き代を設けて取り付けた点である。
【００２０】
室外側目板材第１部材の右側へスライドすることによる取り外しは、室外側目板材第１部材と室外側目板材第２部材間に目板材中央部材を固定状態あるいは目板材長手方向に若干の動き代を設けて取り付けることでも防止出来る。
目板材中央部材は、目板材長手方向に若干の動き代を設けることで、目板材を脱着する際に若干動いて取り外しやすくする効果がある。
【発明の効果】
【００２１】
本発明に係る下枠フラットサッシの下枠構造においては、目板材の縦枠側に目板材を縦枠側から長手方向に押圧するバネ部材を有する端末部材を取り付けるとともに、この目板材に指先は掛からないが、細い棒状片は挿し込むことが出来る目板材取り外し用穴を設けたことで、目板材の取り外しは棒状片を使用して行い、指での取り外しが困難となるため、障子を全開放している際の子供のいたずらによる取り外しを防止できる。
【００２２】
また、目板材側壁から障子下框垂下片の軌道下方に突出させたヒレ部を該目板材に設けることで、スライド溝内の排水用の下枠凹部は外部からは見えなくなる。
これにより、下枠凹部の塗装は不要となる上に、スライド溝の底の深さも浅く感じられるため下枠のフラット感が増し下枠の外観意匠が向上する。
更にこのヒレ部により、雨水等を一時的に貯留する下枠凹部からの雨水のしぶきを防止出来る。
このヒレ部は障子下框垂下片下方の軌道の鉛直位置を越えて突出させることで、上方に障子がある目板材は、垂下片ヒレ部が干渉することでその取り外しを困難にする。
加えて、室外側目板材に下枠との係合部を設けたり室外側目板材間に目板材中央部材を設けることで、上方に障子がない室外側目板材第２部材の外部からの取り外しを防止し、この室外側目板材第２部材が万一取り外されたとしても、室外側目板材第１部材がスライドできず、取り外されることを防止出来る。
このように障子を閉じた際の目板材の取り外しができず、防犯性に優れている。
【発明を実施するための最良の形態】
【００２３】
本発明に係るサッシ構造の縦断面図を図１に示し、その横断面図を図２に示す。
建築物の躯体開口部に下枠１０、上枠２０及び室内から室外に向かって右縦枠３０、左縦枠４０にて略方形の枠体を形成し、その開口部に室外側から順に網戸７０、外障子５０、内障子６０がスライド開閉可能に取り付けられている。
なお、網戸は必要に応じて取り付けられるものである。
下枠１０の下枠ベース部は、室外側下枠ベース部材１１と室内側下枠ベース部材１２を断熱部材１６ａにて連結して形成されている。
外障子５０は外障子下框５１及び上框５５と、外障子戸当框５２及び外障子召合框５３にて枠を形成し、内側にガラス等が装着されている。
内障子６０も外障子と同様に、内障子下框６１及び上框６５と、内障子戸当框６２及び内障子召合框６３にて枠を形成し、内側にガラス等が装着されている。
【００２４】
下枠部分の拡大断面図を図３に示し、目板材の配置図を図４に示す。
外障子下框５１の室外側よりから外障子垂下片５１ａが垂下されている。
また、外障子下框凹部５１ｂには外障子戸車５４が取り付けられ、下枠１０の外障子用擬似レール１９ａ上を外障子が移動する。
内障子下框６１の室外側よりから内障子垂下片６１ａが垂下され、下框の内障子下框凹部６１ｂには内障子戸車６４が取り付けられ、下枠１０の内障子用擬似レール１９ｂ上を内障子が移動する。
下枠上面は、通常通行するに際して躓きや嵌り込みの原因となる凹凸のない略フラットに形成されている。
下枠１０には外障子及び内障子の下框から垂下した外障子垂下片５１ａ、内障子垂下片６１ａがスライドする外障子スライド溝１３ａ、内障子スライド溝１３ｂを設け、外障子スライド溝１３ａの室内側側壁に外障子用横タイト材嵌合溝１３ｃを設け、内障子スライド溝１３ｂの室内側側壁に内障子用横タイト材嵌合溝１３ｄを設け、外障子用横タイト材１４ａ、内障子用横タイト材１４ｂを配設し、これらの横タイト材は障子の垂下片に摺接している。
また、外障子スライド溝１３ａ、内障子スライド溝１３ｂの下方には排水のためのふところとして外障子下枠凹部１７ａ、内障子下枠凹部１７ｂが設けられている。
【００２５】
次に目板材の構成を説明すると、図４に示すように室外側目板材が左側の室外側目板材第１部材１ａ、右側の室外側目板材第２部材２ａ、室外側目板材中央部材３ａの３分割構造になっている。
また、室内側目板材も、左側の室内側目板材第１部材１ｂ、右側の室内側目板材第２部材２ｂ、室内側目板材中央部材３ｂの３分割構造となっている。
断面形状は図３に示すように、室外側目板材１ａ、２ａは下枠１０の室外側下枠ベース部材１１の上部に取付係止片１００ａ、１００ｂを設けて室外側ベース部材１１上に脱着自在に嵌着され、室内側目板材１ｂ、２ｂは、室外側ベース部材１１の上部に取付係止片１００ｃ、１００ｄを設けて係止片１００ｃ、１００ｄと室外側下枠ベース部材１１で形成される凹部に断熱部材１６ｂを介して脱着自在に嵌着されている。
この断熱部材１６ｂは目板材長手方向に複数に分割され、所定の間隔を隔てて敷設されている。
なお、目板材中央部材は通常取り外さないが、その取付構造については後述する。
このような目板材の構造を採用したことにより、図２及びその模式図を図５（イ）に示す外障子５０及び内障子６０を閉じた状態から、図５（ロ）に模式図を示すように外障子５０を開けて右側に寄せた状態にすると、室外側目板材第１部材１ａ及び室内側目板材第１部材１ｂの上方が空き、図５（ハ）に示すように内障子６０を開けて障子を左側に寄せた状態にすると、室外側目板材第２部材２ａ及び室内側目板材第２部材２ｂの上方が空く。
目板材の脱着は、このように目板材上方の障子を一方に寄せて目板材の上方を空けることで行う。
この目板材の脱着手順については後述する。
【００２６】
図４に示すように目板材にはそれぞれ脱着用の端末部材（外第１端末部材１ａａ、外第２端末部材２ａａ、内第１端末部材１ｂｂ、内第２端末部材２ｂｂ）が取り付けられている。
図６に目板材に取り付けられた端末部材を示し、（イ）が室外側目板材第１部材に取り付けられた外第１端末部材１ａａを示し、（ロ）が外第２端末部材２ａａを示す。
これらの端末部材は障子が閉じる際に障害にならないような高さで取り付けられている。
そして、ドライバー等の細い棒状片を挿し込む、目板材取り外し用の貫通孔１ｃ、２ｃが設けられ、目板材の取り外しはドライバー等をこの貫通孔１ｃ、２ｃに挿し込み、持ち上げることで行う。
この貫通孔１ｃ、２ｃは指先はかからない大きさに設けられている。
また、目板材の内側断面形状に合わせた挿入部１ｅ、２ｅを備え、その反対側の縦枠との当接側にバネ性を有する弾性片（バネ部材）１ｄ、２ｄが設けられている。
この弾性片により、目板材が中央部材に押し付けられ、目板材の切断寸法バラツキをこのバネ部材で吸収し、ガタつきを防止して、目板材と下枠の間に適度に摩擦力を発生させる。
この貫通孔及び弾性片構造は図４及び図６に示される内第１端末部材１ｂｂ［図６（ニ）］、内第２端末部材２ｂｂ［図６（ホ）］も同様に設けられている。
貫通孔１ｃ、２ｃを指が入らない大きさに設け、目板材及び端末部材に指をかける所を設けず、更に弾性片により目板材と下枠との間に適度に摩擦力を発生させているため指による取り外しは困難となり、子供が指で目板材を脱着してしまういたずらは防止される。
貫通孔と弾性片を端末部材に一体で形成して目板材に挿入部を介して取り付ける構造は、例えば端末部材を樹脂製にすると、この端末部材の射出成形時に容易に取り外し用の貫通孔を形成することができる。
図６（ロ）に示すように外第２端末部材２ａａ下部には鉤上の係合部２ｆが設けられ、室外側下枠ベース部材１１に設けられた係合穴１１ａに、係合部２ｆの下端を挿し込んでいる。
係合部の下端は縦枠３０側へ折れ曲がり、その折れ曲がった鉤部２ｇは、外端末部材２ａａが縦枠３０に当接した状態でこの端末部材を上方に持ち上げようとすると係合穴１１ａの縁に掛かる構造となっている。
外第２端末部材２ａａ及び室外側目板材第２部材２ａの脱着は、係合穴１１ａの縁に鉤部２ｇが掛からないように障子召合位置方向にスライド移動してＡの位置にて行われる。
このように、室外側目板材第２部材２ａを障子召合位置方向にスライドさせないと取り外せない構造は、図６（ハ）に示すように外第２端末部材２ａａに縦枠３０側に突出した突出部２ｉを設け、縦枠３０に穴３０ａを設ける構造としても良い。
また、図６（イ）に示すように、室外側目板材第１部材１ａに取り付けられた外第１端末部材１ａａの下部には、突起１ｆが設けられ、その下端は室外側下枠ベース部材１１に設けられた制止穴１１ｂに挿し込まれている。
これにより、室外側目板材第１部材１ａ及び外第１端末部材１ａａを障子召合位置方向にスライドしょうとすると突起１ｆが制止穴１１ｂの縁に掛かるため、スライドは制止されるが、上方への取り外しはできる。
ここで、この突起は室外側下枠ベース部材に設け、制止穴を端末部材に設けて、その制止穴に突起を挿し込む構造としても良い。
【００２７】
図３に示すように室外側目板材１ａ、２ａには室外側嵌合片１０４と室内側嵌合片１０３を有し、この室内側嵌合片１０３は外障子下枠凹部１７ａの室外側側壁を形成し、その嵌合片１０３にはヒレ部１５ａが設けられている。
このヒレ部１５ａは室外側目板材１ａ、２ａの室内側嵌合片１０３からスライド溝１３ａを塞ぐ方向で、垂下片５１ａが外障子５０の移動に伴いスライド移動する軌道下方に向けて突出している。
このヒレ部１５ａは垂下片５１ａの軌道とは干渉しないため、障子の開閉に障害は生じない。
そして、ヒレ部１５ａの先端の突出量は垂下片５１ａの軌道の鉛直位置を越えている。
これにより、室外側目板材第１部材１ａは、外障子５０が上方に位置している障子を閉じた状態では、ヒレ部１５ａと垂下片５１ａが干渉するため、上方へ取り外せない構造となっている。
ここで、室外側目板材第１部材１ａに設けられているヒレ部１５ａは、外障子を全開放した状態を上方から見た模式図を図７（イ）に示すように、障子召合位置８０付近は切り欠かれて切り欠き部１５ｃを形成し、ヒレ部１５ａの突出右端は全開放状態の外障子５０の左端より左側に位置している。
図７では分かりやすくするためヒレ部は大きく描き、説明するヒレ部付近以外は図示省略してある。
外障子の位置はストッパ１５１によりスライド量が規制されるため引き残しが発生し、全開放時であっても外障子戸当框５２は障子召合位置８０より左に位置している。
目板材の脱着はヒレ部が垂下片と干渉しないように目板材上方から障子を移動して行うが、例えばクレセントを保護するため等の理由により、ストッパ部材により障子のスライド量が規制されている場合は、このようにヒレ部の召合位置付近を障子全開放時の垂下片と干渉しない範囲にて切り欠いた構造とすることで、目板材の脱着を行うことが出来る。
【００２８】
内障子下枠凹部１７ｂの室外側側壁を形成する室内側目板材第１部材１ｂ及び室内側目板材第２部材２ｂの室内側側壁にも、ヒレ部１５ｂが設けられている。
このヒレ部１５ｂも、室内側目板材１ｂ、２ｂの室内側側壁からスライド溝１３ｂを塞ぐ方向で、垂下片６１ａが内障子の移動に伴いスライド移動する軌道下方に向けて突出している。
そして、ヒレ部１５ｂの先端の突出量は垂下片６１ａの軌道の鉛直位置を越えている。
これにより、室内側目板材第２部材２ｂは、内障子が上方に位置している障子を閉じた状態ではヒレ部１５ｂと垂下片６１ａが干渉するため、上方へ取り外せない構造となっている。
室内側目板材第２部材に設けられているヒレ部１５ｂは、図７（ロ）に内障子６０を左へ移動し全開放した状態を示すように、障子召合位置８０付近は切り欠かれ、切り欠き部１５ｄを形成することで、ストッパ部材１５１により内障子６０の引き残しが発生しても室内側目板材第２部材２ｂの脱着は行うことが出来る。
これらのヒレ部は、障子を閉じた状態で上方に障子が位置しない室外側目板材第２部材、室内側目板材第１部材にも設けられるが、下枠を上方から見た場合に意匠的統一を図ることの他に、下枠凹部を隠すことで下枠凹部内の塗装を不要にする上に、スライド溝の深さを浅く見せて下枠上面のフラット感を向上する効果や雨水等を一時的に貯留する機能を有している外障子下枠凹部１７ａ、内障子下枠凹部１７ｂから雨水がしぶくのを防止する効果もある。
なお、図７に示す中央部材３ａ（３ｂ）を長くすることでヒレ部の切り欠き部１５ｃ（１５ｄ）を無くすこともできる。
【００２９】
次に、この目板材の外部からの取り外し防止構造について説明する。
図２に示される障子を閉じた状態において、下枠の室外側には室外側目板材第１部材１ａと室外側目板材第２部材２ａが取り付けられ、その間に室外側目板材中央部材３ａが取り付けられている。
また、室外側目板材第２部材２ａより室内側に室内側目板材第２部材２ｂが取り付けられている。
室外側目板材第１部材１ａ及び室内側目板材第２部材２ｂには図３に示すようにヒレ部１５ａまたはヒレ部１５ｂが設けられ、その上方に外障子５０または内障子６０が位置していることから、上方へは取り外すことが出来ない。
室外側目板材第１部材１ａは、万一室外側目板材第２部材２ａ及び中央部材３ａが外された場合に、障子召合位置方向にスライドさせようとしても、図６（イ）に示すように外第１端末部材１ａａに設けられている突出部１ｆが室外側下枠ベース部材１１の穴１１ｂの縁に掛かるため、スライドは制止され、障子が上方にない位置までスライドさせることによる取り外しは防止される。
この室外側目板材第１部材１ａをスライドさせて取り外すことは、中央部材３ａがビス等による固定状態もしくは目板材長手方向に若干動く状態で取り付けられていることによっても、そのスライドが制止され防止される。
室外側目板材第２部材２ａは、図６（ロ）に示すように外第２端末部材２ａａに係止部２ｆが設けられ、その鉤部２ｇが下枠に設けられている係止孔１１ａの縁に掛かっているため、取り外しは防止される。
ここで、室内側目板材第１部材は障子より室内側に位置しているため取り外しの心配はない。
【００３０】
次に目板材の取り外し手順について説明する。
図８に下枠部分を上方から見た模式図を示す。
図８（イ）は障子を閉じた状態を示し、下枠の室外側には室外側目板材第１部材１ａと室外側目板材第２部材２ａが取り付けられ、その間に室外側目板材中央部材３ａが取り付けられている。
ここで、室内側目板材１ｂ、２ｂはヒレ部を設けているが、障子をその上方から移動させることで簡単に取り外すことが出来る。
まず、図８（ロ）に示すように外障子５０を右側へ移動し全開放すると室外側目板材第１部材１ａのヒレ部は外障子５０の垂下片と干渉しなくなるため、ドライバー等を使い上方に向けて取り外すことが出来る。
この時に、室内側目板材第１部材１ｂも取り外すことができる。
次いで図８（ハ）に示すように外障子５０と内障子６０を左側に移動し、室外側目板材第２部材２ａを障子召合位置方向の左方向に中央部材３ａを押しながら所定量スライドさせる。
このことにより図６（ロ）に示される係合部２ｆの鉤部２ｇが下枠の係合穴１１ａの縁から外れ、室外側目板材第２部材２ａは図８（ニ）に示すように取り外すことが出来る。
また、この状態で室内側目板材第２部材２ｂも取り外すことができる。
下枠への目板材の装着は、この逆に図８（ニ）、図８（ハ）、図８（ロ）の手順にて行う。
このように、目板材は簡単に脱着し、スライド溝内の掃除を行うことが出来る。
【００３１】
次に、中央部材３ａの構造を説明する。
図９（イ）は中央部材３ａの目板材長手方向の断面図を示し、図９（ロ）は下枠に取り付けた状態を室外側から見た図を示す。
中央部材３ａは室外側の目板材と同じ断面形状で、長孔３ｃが設けられていて室外側下枠ベース部材１１側からビス等の取付部材３ｄで取り付けられている。
このビス３ｄが、長孔３ｃの縁に引っ掛かることで中央部材３ａの上方への取り外しは規制され、目板材長手方向には長孔３ｃの長手方向幅分スライド可能な構造となっている。
このように、中央部材３ａが目板材長手方向に若干スライド可能な構造であることから、室外側目板材第２部材２ａを図８（ハ）に示すように所定量スライドさせた後、図８（ニ）に示すように上方へ取り外すことが出来る。
一方、室内側の中央部材３ｂはビス等により固定された状態で室内側目板材第１部材１ｂと室内側目板材第２部材２ｂの間に設けられている。
【００３２】
外障子スライド溝及び内障子スライド溝からの排水経路について図１０に示す下枠の拡大断面図により説明する。
外障子スライド溝１３ａ内に流れ込んだ水は、室外側目板材１ａ、２ａの嵌合片１０３に設けられている排水穴１０３ａを通り、室外側下枠ベース部材に設けられている排水穴１１ｄより排水される。
内障子スライド溝１３ｂ内に流れ込んだ水は、室内側目板材１ｂ、２ｂと室外側下枠ベース部材１１との間の断熱部材１６ｂの切れ目を通り、排水穴１１ｅから排水穴１８より屋外に排水される。
なお、この排水穴１８には逆止弁１８ａが取り付けられている。
【図面の簡単な説明】
【００３３】
【図１】本発明に係る下枠フラットサッシ構造の縦断面図を示す。
【図２】本発明に係る下枠フラットサッシ構造の横断面図を示す。
【図３】本発明に係る下枠フラットサッシ構造の下枠付近の拡大断面図を示す。
【図４】下枠における目板材配置状態図を示す。
【図５】目板材の脱着と障子位置関係を示す模式図で、（イ）は障子を閉じた状態を示し、（ロ）は障子を右側に寄せた状態、（ハ）は障子を左側に寄せた状態を示す。
【図６】（イ）は外第１端末部材の目板材への取付状態を示し、（ロ）は外第２端末部材の目板材への取付状態を、（ハ）は他の外第２端末部材の目板材への取付状態を、（ニ）は内第１端末部材の目板材への取付状態を、（ホ）は内第２端末部材の目板材への取付状態を示す。
【図７】（イ）室外側目板材第１部材のヒレ部の障子召合位置付近の模式図を示す。（ロ）室内側目板材第２部材のヒレ部の障子召合位置付近の模式図を示す。
【図８】目板材の取り外し手順を示す模式図で、（イ）は障子を閉じた状態を示し、（ロ）は目板材第１部材を取り外す状態を示し、（ハ）は室外側目板材第２部材を所定距離スライドさせる状態を示し、（ニ）は目板材第２部材を取り外す状態を示す。
【図９】（イ）は室外側目板材中央部材の目板材長手方向の断面図を示し、（ロ）は下枠の目板材中央部材付近を室外側から見た模式図を示す。
【図１０】外障子スライド溝と内障子スライド溝からの排水経路を表した下枠の拡大断面図を示す。
【符号の説明】
【００３４】
１ａ  室外側目板材第１部材        １ｂ  室内側目板材第１部材
２ａ  室外側目板材第２部材        ２ｂ  室内側目板材第２部材
３ａ  室外側目板材中央部材        ３ｂ  室内側目板材中央部材
３ｃ  長孔
３ｄ  取付部材（ビス）
１ａａ  外第１端末部材            ２ａａ  外第２端末部材
１ｂｂ  内第１端末部材            ２ｂｂ  内第２端末部材
１ｃ、２ｃ  貫通孔
１ｄ、２ｄ  弾性片                １ｅ、２ｅ  挿入部
１ｆ    突出部                    ２ｆ  係合部
２ｇ    鉤部
２ｉ    突出部
１０    下枠
１１    室外側下枠ベース部材
１１ａ  係合穴                     １１ｂ  制止穴
１２    室内側下枠ベース部材
１３ａ  外障子スライド溝           １３ｂ  内障子スライド溝
１３ｃ  外障子横タイト材嵌合溝     １３ｄ  内障子用横タイト材嵌合溝
１４ａ  外障子用横タイト材         １４ｂ  内障子用横タイト材
１５ａ、１５ｂ  ヒレ部
１５ｃ、１５ｄ  切り欠き部
１６ａ、１６ｂ  断熱部材
１７ａ  外障子下枠凹部             １７ｂ  内障子下枠凹部
１９ａ  外障子用擬似レール         １９ｂ  内障子用擬似レール
２０    上枠
３０    右縦枠
３０ａ  穴
４０    左縦枠
５０    外障子
５１    外障子下框
５１ａ  外障子垂下片
５１ｂ  外障子下框凹部
５２    外障子戸当框
５３    外障子召合框
５４    外障子戸車
５５    外障子上框
６０    内障子
６１    内障子下框
６１ａ  内障子垂下片
６１ｂ  内障子下框凹部
６２    内障子戸当框
６３    内障子召合框
６４    内障子戸車
６５    内障子上框
７０    網戸
８０    障子召合位置
１００ａ、１００ｂ、１００ｃ、１００ｄ  取付係止片
１０３、１０４  嵌合片
１５０  取っ手
【図１】
2005048558.tif 000003
【図２】
2005048558.tif 000004
【図３】
2005048558.tif 000005
【図４】
2005048558.tif 000006
【図５】
2005048558.tif 000007
【図６】
2005048558.tif 000008
【図７】
2005048558.tif 000009
【図８】
2005048558.tif 000010
【図９】
2005048558.tif 000011
【図１０】
2005048558.tif 000012